(57)【特許請求の範囲】
【請求項１】
車両の前部の上面を形成するフードと、
前記フードの前後方向の後端部に設けられ、前記フードを押し上げる押上装置と、
前記車両に設けられ、前記フードの前後方向の中央部と解除可能に係合する係合部材と、
前記押上装置および前記係合部材を制御する制御部と、
を有し、
前記制御部は、
前記車両の前方を通過するのがサイクリストであるか、歩行者であるかを特定し、衝突する可能性を判断する制御を行い、
前記前部にサイクリストが衝突する際に、前記係合部材を前記フードに係合させて前記押上装置により前記フードの後端部を押し上げ、
前記前部に歩行者が衝突する際に、前記係合部材を前記フードに係合させることなく前記押上装置により前記フードの後端部を押し上げる、
車両のサイクリスト保護装置。
【請求項２】
前記フードから下方に突出し、前記係合部材と係合するフード側部材と、を有する、
請求項１記載の車両のサイクリスト保護装置。
【請求項３】
前記係合部材として、前記フードについての前記車両の車幅方向に並べられた複数の係合部材を有し、
前記制御部は、
サイクリストが前記前部に衝突する位置に応じて、複数の前記係合部材の中で衝突位置に近いものを係合させ、遠いものを係合させない、
請求項１または２記載の車両のサイクリスト保護装置。
【請求項４】
前記制御部は、
歩行者が前記前部に衝突する場合には、複数の前記係合部材のすべてを係合させない、
請求項３記載の車両のサイクリスト保護装置。
【請求項５】
前記押上装置として、前記フードについての前記車両の車幅方向に並べられた複数の押上装置を有し、
前記制御部は、
サイクリストが前記前部に衝突する位置に応じて、複数の前記押上装置の中で少なくとも衝突位置から遠いものを作動させる、
請求項１から４のいずれか一項記載の車両のサイクリスト保護装置。
【請求項６】
前記制御部は、
歩行者が前記前部に衝突する場合には、複数の前記押上装置のすべてを作動させる、
請求項５記載の車両のサイクリスト保護装置。
【発明の詳細な説明】
【技術分野】
【０００１】
本発明は、車両のサイクリスト保護装置に関する。
【背景技術】
【０００２】
自動車といった車両では、車外を移動する歩行者と衝突する可能性がある。
特許文献１、２では、フード上で複数のエアバッグを平らに並べて展開する。
これにより、車両前部に衝突した歩行者の上体とフードとの間にエアバッグを平らに展開させて、当たりを弱めることができる。
【先行技術文献】
【特許文献】
【０００３】
【特許文献１】特開２０１０−０１２９６６号公報
【特許文献２】特開平０９−０３０３６８号公報
【発明の概要】
【発明が解決しようとする課題】
【０００４】
ところで、自動車といった車両では、歩行者以外にも、たとえば自転車に乗車したサイクリストと衝突する可能性もある。
そして、サイクリストと自動車とが衝突した場合、サイクリストの腰位置が高いため、上記特許文献１、２の保護装置では、好適にサイクリストを保護することができない可能性がある。
サイクリストは、衝突後に自動車のフードに乗り上げ、腰部がフードに引っ掛かり、その後撓んだフードにより跳ね上げられることがある。このように衝突形態に対して、上記特許文献１、２の保護装置は十分に機能し得ない可能性がある。
【０００５】
このように、車両では、衝突したサイクリストの保護性能を向上させることが求められている。
【課題を解決するための手段】
【０００６】
本発明に係る車両のサイクリスト保護装置は、車両の前部の上面を形成するフードと、前記フードの前後方向の後端部に設けられ、前記フードを押し上げる押上装置と、前記車両に設けられ、前記フードの前後方向の中央部と解除可能に係合する係合部材と、前記押上装置および前記係合部材を制御する制御部と、を有し、前記制御部は、前記車両の前方を通過するのがサイクリストであるか、歩行者であるかを特定し、衝突する可能性を判断する制御を行い、前記前部にサイクリストが衝突する際に、前記係合部材を前記フードに係合させて前記押上装置により前記フードの後端部を押し上げ、前記前部に歩行者が衝突する際に、前記係合部材を前記フードに係合させることなく前記押上装置により前記フードの後端部を押し上げる。
【０００７】
好適には、前記フードから下方に突出し、前記係合部材と係合するフード側部材と、を有する、とよい。
【０００８】
好適には、前記係合部材として、前記フードについての前記車両の車幅方向に並べられた複数の係合部材を有し、前記制御部は、サイクリストが前記前部に衝突する位置に応じて、複数の前記係合部材の中で衝突位置に近いものを係合させ、遠いものを係合させない、とよい。
【０００９】
好適には、前記制御部は、歩行者が前記前部に衝突する場合には、複数の前記係合部材のすべてを係合させない、とよい。
【００１０】
好適には、前記押上装置として、前記フードについての前記車両の車幅方向に並べられた複数の押上装置を有し、前記制御部は、サイクリストが前記前部に衝突する位置に応じて、複数の前記押上装置の中で少なくとも衝突位置から遠いものを作動させる、とよい。
【００１１】
好適には、前記制御部は、歩行者が前記前部に衝突する場合には、複数の前記押上装置のすべてを作動させる、とよい。
【発明の効果】
【００１２】
本発明では、フードの前後方向の後端部には、フードを押し上げる押上装置が設けられ、フードの前後方向の中央部には、係合部材が解除可能に係合する。そして、制御部は、前部にサイクリストが衝突する際に、係合部材をフードに係合させて押上装置によりフードの後端部を押し上げる。よって、フードの前部は係合部材により上下に撓み難くなり、フードに当たったサイクリストは、フードにより押し上げられ難くなる。サイクリストが跳ね難くなる。
しかも、フードについての係合部材より後側の部分は、押上装置により押し上げられて立っている。よって、フードに当たったサイクリストが、その後の慣性により後側へ移動しようとしても、立っているフードの後側の部分により止めることができる。
これらの働きにより、衝突したサイクリストの保護性能を向上させることができる。
【図面の簡単な説明】
【００１３】
【図１】図１は、本発明の実施形態に係る自動車の側面透視図である。
【図２】図２は、サイクリストとの衝突形態の一例の説明図である。
【図３】図３は、歩行者との衝突形態の一例の説明図である。
【図４】図４は、本実施形態でのサイクリスト保護装置の説明図である。
【図５】図５は、図４のサイクリスト保護装置の制御系のブロック図である。
【図６】図６は、サイクリスト等との衝突時に図５の制御部により実施される制御のフローチャートである。
【図７】図７は、本実施形態でのサイクリストとの衝突形態の一例の説明図である。
【図８】図８は、サイクリストの複数の衝突形態と、複数の係合部材および複数の押上装置の制御パターンとの関係の説明図である。
【図９】図９は、本実施形態での歩行者との衝突形態の一例の説明図である。
【発明を実施するための形態】
【００１４】
以下、本発明の実施形態を、図面に基づいて説明する。
【００１５】
図１は、本発明の実施形態に係る自動車１の側面透視図である。図１には、自動車１の側面が、その前を横切るサイクリストとともに図示されている。
自動車１は、自動車１の一例である。
図１の自動車１は、前部２、乗車部３、および後部４を有する。
【００１６】
前部２は、乗車部３より前へ突出する部分である。前部２には、エンジン、電気モータ等の動力ユニットが配置される。前部２の上面には、フード５が開閉可能に設けられる。また、フード５の前側には、バンパーを含むノーズコーン６が設けられる。前部２の上面は、フード５とノーズコーン６の上面とにより構成される。
乗車部３には、乗車した乗員が着座するシートなどが設けられる。乗車部３の前面には、前部２の上面の上側となる位置にフロントガラス７が設けられる。
後部４は、乗車部３より後へ突出する部分である。後部４には、ラッゲージスペースが設けられる。
【００１７】
図２は、サイクリストとの衝突形態の一例の説明図である。
サイクリストが自動車１の前に衝突すると、サイクリストの腰位置が高いため、図２（Ａ）に示すように、サイクリストは衝突後に自動車１のフード５に乗り上げる。
そして、乗り上げたサイクリストの荷重により図２（Ｂ）に示すようにフード５か窪み変形し、その後に図２（Ｃ）に示すようにフード５がサイクリストを押し上げる。
このようにフード５で押し上げられたサイクリストは、自動車１とサイクリストの相対速度および相対移動方向に従って、図２（Ｄ）に示すようにたとえば後方へ移動する。この際、サイクリストの頭部がフロントガラス７に当たる可能性もある。
【００１８】
図３は、歩行者との衝突形態の一例の説明図である。
図３に示すように、歩行者が自動車１の前に衝突すると、歩行者の上体が腰位置を支点として自動車１のフード５へ向かって下へ回転する。こように、歩行者は、衝突後にフード５に乗り上げにくい。また、フード５の上を後方へ向かって移動することも起き難い。
【００１９】
このように、歩行者との衝突形態と、サイクリストとの衝突形態とは異なる。よって、歩行者の保護のために、フード５の上に平らにエアバッグを展開させたとしても、サイクリストを好適に保護することは難しい。
本実施形態では、衝突したサイクリストの保護性能を向上させる。
【００２０】
図４は、本実施形態でのサイクリスト保護装置１１の説明図である。図４（Ａ）は、自動車１の前部２の部分側面図である。図４（Ｂ）は、自動車１の前部２の上面図である。
図４のサイクリスト保護装置１１は、右押上装置１２、左押上装置１３、右係合部材１４、中央係合部材１５、左係合部材１６、を有する。
また、フード５の前端中央は、フードラッチ９により自動車１の車体に開閉可能に固定されている。
【００２１】
右押上装置１２は、フード５の前後方向の後右端部に設けられ、フード５の後右端部を押し上げる。
左押上装置１３は、フード５の前後方向の後左端部に設けられ、フード５の後左端部を押し上げる。
右押上装置１２と左押上装置１３とは、フード５の後端に沿って自動車１の車幅方向に並べて設けられる。
【００２２】
右係合部材１４は、フード５の前後方向の中央部であって左右方向の右側部に設けられる。
中央係合部材１５は、フード５の前後方向の中央部であって左右方向の中央部に設けられる。
左係合部材１６は、フード５の前後方向の中央部であって左右方向の左側部に設けられる。
そして、各係合部材１４〜１６は、自動車１の前部２に取り付けられた一対の可動部材１７からなる。一対の可動部材１７の間に、フード５から下へ突出する球状のフード側部材１８を挟むことにより、各係合部材１４〜１６はフード５と係合できる。
また、右係合部材１４、中央係合部材１５、および左係合部材１６は、フード５についての前後方向の中央部において自動車１の車幅方向に並べて設けられる。
【００２３】
図５は、図４のサイクリスト保護装置１１の制御系のブロック図である。
図５の制御系には、撮像デバイス２１、レーダ２２、制御部２４、が図示されている。また、制御対象としての複数の押上装置１２，１３と、複数の係合部材１４〜１６とも併せて図示されている。
【００２４】
制御部２４は、撮像デバイス２１やレーダ２２の検出に基づいて、衝突を予測し、衝突を検出する。そして、必要なタイミングで、複数の押上装置１２，１３および複数の係合部材１４〜１６の動作を制御する。
たとえば、サイクリストの衝突を検出した場合、複数の係合部材１４〜１６の中から選択したものをフード５と係合させ、複数の押上装置１２，１３の中から選択したものでフード５を押し上げる。
この他にもたとえば、歩行者の衝突を検出した場合、複数の係合部材１４〜１６のすべてを係合させることなく、複数の押上装置１２，１３のすべてによりフード５を押し上げる。
【００２５】
撮像デバイス２１は、たとえば一対の撮像素子であり、図１に示すように乗車部３のルーフやフロントガラス７に前向きに設けられ、自動車１の前方の周辺状況を撮像により観測する。
レーダ２２は、図１に示すようにたとえば自動車１の前部２の前面に配置される。レーダ２２は、超音波や電波を発し、その反射波の有無等に応じて自動車１の前方の周辺状況を観測する。
そして、制御部２４は、自動車１の前方を通過するサイクリストや歩行者などの障害物を特定し、該障害物の衝突の可能性を判断し得る。
【００２６】
図６は、サイクリスト等との衝突時に図５の制御部２４により実施される制御のフローチャートである。
制御部２４は、図６の衝突制御を周期的に実施する。
【００２７】
図６に示すように、制御部２４は、サイクリストと衝突したか否かを判断する（ステップＳＴ１）。たとえばサイクリストとの衝突を検出した場合、サイクリストと衝突したと判断すればよい。
【００２８】
サイクリストと衝突した場合、制御部２４は、サイクリストを保護するための制御を実施する（ステップＳＴ２）。
具体的には、複数の係合部材１４〜１６の中から選択したものをフード５と係合させ、複数の押上装置１２，１３の中から選択したものでフード５を押し上げる。
【００２９】
サイクリストと衝突していない場合、制御部２４は、さらに歩行者と衝突したか否かを判断する（ステップＳＴ３）。
【００３０】
歩行者と衝突した場合、制御部２４は、歩行者を保護するための制御を実施する（ステップＳＴ４）。
具体的には、複数の係合部材１４〜１６のすべてを係合させることなく、複数の押上装置１２，１３のすべてによりフード５を押し上げる。
【００３１】
図７は、本実施形態でのサイクリストとの衝突形態の一例の説明図である。
図７（Ａ）に示すように、自動車１と衝突したサイクリストは、前から自動車１の前部２に当たる。
サイクリストとの衝突が予想または検出されると、図７（Ｂ）に示すように、係合部材がフード５に係合され、その後に押上装置によりフード５の後端側を押し上げる。
その後、サイクリストは、図７（Ｃ）に示すように、フード５の前部２の上に乗る。
しかしながら、フード５の前部２は、係合部材がフード５に係合されているため、上下に撓みにくい。よって、フード５の前部２の上に乗ったサイクリストの身体は、フード５により押し上げられることなく、慣性により後方へ移動する。
また、フード５の後部４は、押上装置により押し上げられている。よって、サイクリストの身体は、慣性により後方へ移動し難くなる。
【００３２】
図８は、サイクリストの複数の衝突形態と、複数の押上装置１２，１３および複数の係合部材１４〜１６の制御パターンとの関係の説明図である。
図８（Ａ）では、サイクリストは自動車１の前部２の右側部分に衝突する。この場合、制御部２４は、右係合部材１４および中央係合部材１５をフード５と係合させる一方で、左係合部材１６をフード５に係合させない。また、左押上装置１３を動作させる一方で、右押上装置１２を動作させない。これにより、フード５の右前部分は上下に撓み難くなるとともに、図中でハッチングを付した左後部分は立ち上がる。サイクリストが慣性により右前から左後へ向かって移動しようとしても、それに向かってフード５を立てることができる。
図８（Ｂ）では、サイクリストは自動車１の前部２の中央部分に衝突する。この場合、制御部２４は、右係合部材１４、中央係合部材１５、および左係合部材１６をフード５と係合させる。また、左押上装置１３および右押上装置１２を動作させる。これにより、フード５の前部分は上下に撓み難くなるとともに、図中でハッチングを付した後部分は立ち上がる。サイクリストが慣性により中央の前から後へ向かって移動しようとしても、それに向かってフード５を立てることができる。
図８（Ｃ）では、サイクリストは自動車１の前部２の左側部分に衝突する。この場合、制御部２４は、左係合部材１６および中央係合部材１５をフード５と係合させる一方で、右係合部材１４をフード５に係合させない。また、右押上装置１２を動作させる一方で、左押上装置１３を動作させない。これにより、フード５の左前部分は上下に撓み難くなるとともに、図中でハッチングを付した右後部分は立ち上がる。サイクリストが慣性により左前から右後へ向かって移動しようとしても、それに向かってフード５を立てることができる。
このように、サイクリストが前部２に衝突する位置に応じて、複数の係合部材１４〜１６の中で衝突位置に近いものを係合させ、遠いものを係合させないようにすることで、サイクリストが最初のフード５に乗る部位を上下に撓み難くできる。
また、サイクリストが前部２に衝突する位置に応じて、複数の押上装置１２，１３の中で少なくとも衝突位置から遠いものを作動させることで、サイクリストが慣性により後へ移動しようとするのに対してフード５を立てることができる。これにより、サイクリストの身体の全体は、立ったフード５により受け止められる。
【００３３】
図９は、本実施形態での歩行者との衝突形態の一例の説明図である。
図９（Ａ）に示すように、歩行者は、自動車１の前部２に当たる。
歩行者との衝突が予想または検出されると、図９（Ｂ）に示すように、複数の係合部材１４〜１６のすべてをフード５に係合させることなく、複数の押上装置１２，１３のすべてによりフード５の後端側を押し上げる。
その後、歩行者は、フード５の前部２に倒れ込む。フード５の前部２が全体的に押し上げられているので、フード５は、下へ大きく変形することができる。これにより、歩行者の頭部などの障害を抑制することができる。
【００３４】
以上のように、本実施形態では、フード５の前後方向の後端部には、フード５を押し上げる押上装置１２，１３が設けられ、フード５の前後方向の中央部には、係合部材１４〜１６が解除可能に係合する。そして、制御部２４は、前部２にサイクリストが衝突する際に、係合部材をフード５に係合させて押上装置によりフード５の後端部を押し上げる。よって、フード５の前部２は係合部材により上下に撓み難くなり、フード５に当たったサイクリストは、フード５により押し上げられ難くなる。サイクリストが跳ね難くなる。
しかも、フード５についての係合部材より後側の部分は、押上装置により押し上げられて立っている。よって、フード５に当たったサイクリストが、その後の慣性により後側へ移動しようとしても、立っているフード５の後側の部分により止めることができる。
これらの働きにより、衝突したサイクリストの保護性能を向上させることができる。
【００３５】
また、本実施形態では、前部２に歩行者が衝突する場合、制御部２４は、係合部材をフード５に係合させることなく押上装置によりフード５の後端部を押し上げる。よって、フード５全体を持ち上げて、自動車１の前部２において体が折れるように倒れてフード５に頭が当たる場合でも、フード５の下側の空間を確保して歩行者の保護性能を高めることができる。このように、歩行者の保護性能と、サイクリストの保護性能を両立することができる。
【００３６】
また、本実施形態では、係合部材は、フード５についての自動車１の車幅方向に並べて複数で設けられる。そして、制御部２４は、サイクリストが前部２に衝突する位置に応じて、複数の係合部材１４〜１６の中で衝突位置に近いものを係合させ、遠いものを係合させない。よって、自動車１の前部２の中央ではなく、左右両側にサイクリストが衝突する場合にも、フード５についてのサイクリストに近い部分については係合部材により上下への撓みを抑制しつつ、その後側には立てたフード５を配置することができる。
【００３７】
また、本実施形態では、歩行者が前部２に衝突する場合には、複数の係合部材１４〜１６のすべてを係合させない。よって、歩行者が車幅方向のいずれの位置で衝突しても、押し上げたフード５により受け止めることができる。
【００３８】
また、本実施形態では、押上装置は、フード５についての前記自動車１の車幅方向に並べて複数で設けられる。そして、制御部２４は、サイクリストが前部２に衝突する位置に応じて、複数の押上装置１２，１３の中で少なくとも衝突位置から遠いものを作動させる。よって、自動車１の前部２の中央ではなく、左右両側にサイクリストが衝突する場合にも、フード５についての後側の部分は、サイクリストの移動方向にむけて立てることができる。
【００３９】
また、本実施形態では、歩行者が前部２に衝突する場合には、複数の押上装置１２，１３のすべてを作動させる。よって、歩行者が車幅方向のいずれの位置で衝突しても、押し上げたフード５により受け止めることができる。
【００４０】
以上の実施形態は、本発明の好適な実施形態の例であるが、本発明は、これに限定されるものではなく、発明の要旨を逸脱しない範囲において種々の変形または変更が可能である。
【符号の説明】
【００４１】
１…自動車（車両）
２…前部
３…乗車部
４…後部
５…フード
６…ノーズコーン
７…フロントガラス
９…フードラッチ
１１…サイクリスト保護装置
１２…右押上装置（押上装置）
１３…左押上装置（押上装置）
１４…右係合部材（係合部材）
１５…中央係合部材（係合部材）
１６…左係合部材（係合部材）
１７…可動部材
１８…フード側部材
２１…撮像デバイス
２２…レーダ
２４…制御部
【図１】
0006683394.tif 000002
【図２】
0006683394.tif 000003
【図３】
0006683394.tif 000004
【図４】
0006683394.tif 000005
【図５】
0006683394.tif 000006
【図６】
0006683394.tif 000007
【図７】
0006683394.tif 000008
【図８】
0006683394.tif 000009
【図９】
0006683394.tif 000010